(57)【要約】【課題】延伸後のエビの品質を一定に維持することが可能なエビ延伸具、及び、そのエビ延伸具を備え、複数のエビを連続して延伸させるにより、大量のエビを延伸させることが可能なエビ延伸装置を提供すること。【解決手段】本発明のエビ延伸具１は、エビ１０を載置することができる載置部２と、載置部２に対して立ち上がった状態と倒れた状態とを繰り返すことができるように、その基端側が載置部２に回動自在に取り付けられている押圧部３とを有し、押圧部３が載置部２に対して立ち上がった状態から倒れた状態になる過程で、押圧部３がエビ１０の身１２を尻尾１１側から順次押圧して延伸させる。エビ延伸装置は、搬送方向の上流側及び下流側にそれぞれ設けられたスプロケットと、これらのスプロケットに巻き掛けられる無端チェーンと、この無端チェーンに取り付けられる複数の上記エビ延伸具１とを備える。【選択図】  図２
2019149953.tif 000002
【特許請求の範囲】
【請求項１】
エビを載置することができる載置部と、
前記載置部に対して立ち上がった状態と倒れた状態とを繰り返すことができるように、その基端側が前記載置部に回動自在に取り付けられている押圧部とを有し、
この押圧部が前記載置部に対して立ち上がった状態から倒れた状態になる過程で、前記押圧部が前記エビの身を尻尾側から順次押圧して延伸させることを特徴とするエビ延伸具。
【請求項２】
前記押圧部が前記載置部に対して立ち上がった状態から倒れた状態になる過程で、前記押圧部の先端側が前記載置部に向かって押されることによって、前記押圧部が前記エビの身を尻尾側から順次押圧するようになっていることを特徴とする請求項１に記載のエビ延伸具。
【請求項３】
前記押圧部が前記載置部に対して立ち上がった状態から倒れた状態へと案内される被案内手段が設けられていることを特徴とする請求項１又は２に記載のエビ延伸具。
【請求項４】
前記押圧部には窪みが形成されており、
前記押圧部が倒れた状態で、前記窪みは、エビの尻尾が載置された部分に位置するようになっていることを特徴とする請求項１から３のいずれかに記載のエビ延伸具。
【請求項５】
前記載置部は、延伸後のエビよりも長い溝を有し、
この溝にエビを載置できるようになっていることを特徴とする請求項１から４のいずれかに記載のエビ延伸具。
【請求項６】
前記溝は、載置されたエビの尻尾から身の先端に向かって、その幅が拡大している部分を有することを特徴とする請求項５に記載のエビ延伸具。
【請求項７】
搬送方向の上流側及び下流側にそれぞれ設けられたスプロケットと、
これらのスプロケットに巻き掛けられる無端チェーンと、
この無端チェーンに取り付けられる請求項１から６のいずれかに記載の複数のエビ延伸具とを備えるエビ延伸装置。
【請求項８】
前記押圧部を前記溝に対して立ち上がった状態から倒れた状態へと案内する案内手段を有することを特徴とする請求項７に記載のエビ延伸装置。
【請求項９】
前記押圧部が前記溝に倒れた状態で前記押圧部の先端側を押す追加押圧手段を有することを特徴とする請求項７又は８に記載のエビ延伸装置。
【発明の詳細な説明】
【技術分野】
【０００１】
本発明は、エビを延伸させるエビ延伸具、及び、複数のエビを連続して延伸させることができるエビ延伸装置に関する。
【背景技術】
【０００２】
複数のエビを所定の長さに揃える場合に、エビを延伸させる技術が必要とされている。
【０００３】
エビは、手作業によって、以下の手順で延伸させることができる。まず、エビを型に入れる。次に型に入ったエビを押圧部で押圧する。次にエビを型から取り出す。
【０００４】
この手順においては、押圧の力加減は、手作業で行う者の熟練度に依存する。また、複数のエビを延伸させる場合、各手順で時間がかかる。そのため、上記手順によってエビの延伸させる手作業は、大量のエビを延伸させることが難しい。
【０００５】
特許文献１は、手作業で行う者の熟練度に依存せずに、効率よく大量の対象物を一定の長さに延伸可能な延伸装置の一例である。特許文献１の延伸装置は、内部に一定形の円形空間が形成された成形部材と、成形部材の円形空間内に、円形空間に沿うように変形しながら挿入された柔軟なベルトコンベアとを備える。
【０００６】
特許文献１の延伸装置は、ベルトコンベア上に互いに走行方向に所定間隔離れて取り付けられた規制部材を有している。対象物は走行方向に前後する規制部材の間に載置された状態でベルトコンベアが変形する。
【０００７】
規制部材の断面積は、延伸後の対象物の最大断面積と同一となる。走行方向に前後する規制部材の間隔は、延伸後の対象物の走行方向の最大長さと同一となる。
【先行技術文献】
【特許文献】
【０００８】
【特許文献１】特開昭５５−９６０８５号公報
【発明の概要】
【発明が解決しようとする課題】
【０００９】
特許文献１の延伸装置は、例えばエビの身と尻尾のように、固さが大きく異なる部分を有する対象物の延伸に適していない。特許文献１の延伸装置は、固い部分である尻尾が規制部材に当接した後も、柔らかい部分であるエビの身が延伸されて、エビの身が尻尾に押し付けられてしまう場合がある。そのため、尻尾がエビの身を傷つけてしまい、延伸させたエビの品質が悪化する可能性がある。
【００１０】
また、柔らかい部分であるエビの身は、固い規制部材に直接当接した後もエビの身が延伸されて、エビの身が規制部材に押し付けられてしまう場合がある。そのため、規制部材がエビの身を傷つけてしまい、延伸させたエビの品質が悪化する可能性がある。
【００１１】
そこで、上記点より本発明は、延伸後のエビの品質を一定に維持することが可能なエビ延伸具、及び、そのエビ延伸具を備え、複数のエビを連続して延伸させるにより、大量のエビを延伸させることが可能なエビ延伸装置を提供することを目的とする。
【課題を解決するための手段】
【００１２】
上記課題を解決するため、請求項１のエビ延伸具は、エビを載置することができる載置部と、前記載置部に対して立ち上がった状態と倒れた状態とを繰り返すことができるように、その基端側が前記載置部に回動自在に取り付けられている押圧部とを有し、この押圧部が前記載置部に対して立ち上がった状態から倒れた状態になる過程で、前記押圧部が前記エビの身を尻尾側から順次押圧して延伸させる。
【００１３】
請求項１のエビ延伸具は、エビの身を尻尾側から順次押圧して延伸させる押圧部を有しているので、エビの身が無理に延伸されて破損することがない。また、請求項１のエビ延伸具は、エビの身の先端側に向かってエビの身が延伸される。そのため、エビの身が尻尾に押し付けられてしまうことを防ぐことができる。
【００１４】
請求項１のエビ延伸具は、押圧部が前記載置部に対して立ち上がった状態と倒れた状態とを繰り返すことができるように、その基端側が前記載置部に回動自在に取り付けられている。そのため、請求項１のエビ延伸具は、載置部に対して立ち上がった状態でエビを載置部に載置して、押圧部が載置部に対して立ち上がった状態から倒れた状態になる過程でエビの身を押圧して延伸させるという動作を正確に繰り返すことができる。
【００１５】
請求項２のエビ延伸具は、請求項１のエビ延伸具において、前記押圧部が前記載置部に対して立ち上がった状態から倒れた状態になる過程で、前記押圧部の先端側が前記載置部に向かって押されることによって、前記エビの身を尻尾側から順次押圧するようになっている。
【００１６】
請求項２のエビ延伸具は、請求項１のエビ延伸具と同様に作用する上に、押圧部の先端側が前記載置部に向かって押されることによって、押圧部が確実に、エビの身を尻尾側から順次押圧する動作を実現することができる。
【００１７】
請求項３のエビ延伸具は、請求項１又は２のエビ延伸具において、前記押圧部が前記載置部に対して立ち上がった状態から倒れた状態へと案内される被案内手段が設けられている。
【００１８】
請求項３のエビ延伸具は、請求項１又は２のエビ延伸具と同様に作用する上に、エビを載置部に載置した後に、被案内手段によって、押圧部が載置部に対して立ち上がった状態から倒れた状態になる。そのため、請求項３のエビ延伸具は、押圧部が自動的にエビの身を尻尾側から順次押圧する動作を実現することができる。
【００１９】
請求項４のエビ延伸具は、請求項１から３のいずれかのエビ延伸具において、前記押圧部には窪みが形成されており、前記押圧部が倒れた状態で、前記窪みは、エビの尻尾が載置された部分に位置するようになっている。
【００２０】
請求項４のエビ延伸具は、請求項１から３のいずれかのエビ延伸具と同様に作用する上に、窪みによって、押圧部が倒れた状態でエビの尻尾を潰すことを防止できる。
【００２１】
請求項５のエビ延伸具は、請求項１から４のいずれかのエビ延伸具において、前記載置部は、延伸後のエビよりも長い溝を有し、この溝にエビを載置できるようになっている。
【００２２】
請求項５のエビ延伸具は、請求項１から４のいずれかのエビ延伸具と同様に作用する上に、エビを載置する溝を有するので、延伸前のエビを容易に位置決めすることができる。
【００２３】
さらに、請求項５のエビ延伸具は、その溝が延伸後のエビよりも長いので、エビの身の延伸方向において、エビの身が固いものに押し付けられることがない。
【００２４】
請求項６のエビ延伸具は、請求項５のエビ延伸具において、前記溝は、載置されたエビの尻尾から身の先端に向かって、その幅が拡大している部分を有する。
【００２５】
請求項６のエビ延伸具によれば、請求項５のエビ延伸具と同様に作用する上に、溝が延伸させる前のエビを載置しやすい形状となっている。溝の幅が拡大している部分は、延伸させる前のエビの載置する位置の基準の役割も果たす。
【００２６】
また、請求項６のエビ延伸具によれば、幅が拡大していくエビの身の形状に合わせて、溝の幅が拡大していくので、押圧されたエビの身が溝の壁に強く押し付けられてしまうことを防止できる。
【００２７】
さらに、請求項６のエビ延伸具によれば、延伸されたエビの身においても、エビの尻尾から身の先端に向かって、エビの身の幅が拡大していく部分を容易に形成することができる。
【００２８】
請求項７のエビ延伸装置は、搬送方向の上流側及び下流側にそれぞれ設けられたスプロケットと、これらのスプロケットに巻き掛けられる無端チェーンと、この無端チェーンに取り付けられる請求項１から６のいずれかに記載の複数のエビ延伸具とを備える。
【００２９】
請求項７のエビ延伸装置によれば、短時間に大量のエビの身を連続して延伸させることができる。
【００３０】
請求項８のエビ延伸装置は、請求項７のエビ延伸装置において、前記押圧部を前記溝に対して立ち上がった状態から倒れた状態へと案内し、前記押圧部が前記溝に対して倒れた状態から立ち上がった状態へと案内する案内手段を有する。
【００３１】
請求項８のエビ延伸装置によれば、請求項７のエビ延伸装置と同様に作用する上、自動的に前記押圧部が前記溝に対して立ち上がった状態でエビを溝に載置するだけで、エビの身の延伸させる準備が完了する。
【００３２】
また、請求項８のエビ延伸装置は、エビを載置部に載置した後に、案内手段によって、押圧部が載置部に対して立ち上がった状態から倒れた状態になる。そのため、請求項８のエビ延伸装置は、押圧部が自動的にエビの身を尻尾側から順次押圧する動作を実現することができる。
【００３３】
請求項９のエビ延伸装置は、請求項７又は８のエビ延伸装置において、前記押圧部が前記溝に倒れた状態で前記押圧部の先端側を押す追加押圧手段を有する。
【００３４】
請求項９のエビ延伸装置によれば、請求項７又は８のエビ延伸装置と同様に作用する上、追加押圧手段が押圧部の先端側を載置部に向かって押すことによって、押圧部が確実に、エビの身を尻尾側から順次押圧する動作を実現することができる。
【００３５】
さらに、請求項９のエビ延伸装置によれば、請求項７又は８のエビ延伸装置と同様に作用する上、追加押圧手段は、押圧部の押圧力を容易に調節することができる。
【発明の効果】
【００３６】
請求項１から６のいずれかのエビ延伸具は、延伸後のエビの品質を一定に維持することができる。請求項７から９のいずれかのエビ延伸装置は、延伸後のエビの品質を一定に維持するとともに、複数のエビを連続して延伸させるにより、大量のエビを延伸させることができる。
【図面の簡単な説明】
【００３７】
【図１】本発明の一実施形態のエビ延伸具の正面図である。
【図２】図１のエビ延伸具の断面図である。
【図３】エビ延伸装置の一部の平面図である。
【図４】エビ延伸装置の一部の平面図である。
【図５】本発明の一実施形態のエビ延伸装置の側面概略図である。
【図６】エビ延伸装置の一部の斜視図である。
【発明を実施するための形態】
【００３８】
本発明の一実施形態のエビ延伸具１について、図１〜図４に基づいて説明する。図１及び図２において、（ａ）は押圧部３が載置部２に対して立ち上がった状態を示し、（ｂ）は押圧部３が載置部２に対して倒れていく途中の状態を示し、（ｃ）は押圧部３が載置部２に対して倒れた状態を示す。図１及び図２中の矢印Ａは、押圧部３が載置部２に対して倒れていく方向を示す。
【００３９】
図３は、後述するエビ延伸装置１００において、エビ延伸具１ａの押圧部３が載置部２に対して立ち上がった状態から、エビ延伸具１ｂの押圧部３が載置部２に対して倒れていく途中の状態を経て、エビ延伸具１ｃの押圧部３が載置部２に対して倒れた状態になるまでを示す。
【００４０】
図４は、後述するエビ延伸装置１００において、エビ延伸具１ｄの押圧部３が載置部２に対して倒れた状態から、エビ延伸具１ｅの押圧部３が載置部２に対して立ち上がっていく途中の状態を経て、エビ延伸具１ｆの押圧部３が載置部２に対して立ち上がった状態になるまでを示す。
【００４１】
図３及び図４の矢印Ｂは、後述するエビ延伸装置１００において、上流から下流へ向かうエビ延伸具１の搬送方向を示す
【００４２】
エビ延伸具１は、図１及び図２に示すように、エビ１０を載置する載置部２と、その基端側が載置部２に回動自在に取り付けられている押圧部３とを有する。
【００４３】
押圧部３は、載置部２に対して立ち上がった状態と倒れた状態を繰り返すことができるようになっている。
【００４４】
載置部２は、固定プレート２１と、この固定プレート２１に着脱自在となっている溝部材２２と、押圧部３を回動自在に支持する支持部材２３とを有する。
【００４５】
溝部材２２は、延伸後のエビよりも長い溝２２ａを有する。エビ１０は、図２及び図３に示すように、エビ１０の尻尾１１を押圧部３の基端に向けて、溝２２ａ内に載置できるようになっている。
【００４６】
溝２２ａは、図３に示すように、載置されたエビ１０の尻尾１１から身１２の先端に向かって、溝２２ａの幅が拡大している部分を有する。
【００４７】
溝部材２２は、固定プレート２１に固定、及び、固定プレート２１から取り外しできるようになっている。
【００４８】
載置部２は、例えば、溝部材２２が、長期間の使用によって破損する場合や、エビの大きさによっては、溝２２ａに載置できない場合がある。このような場合でも、載置部２は溝部材２２を容易に交換することができる。
【００４９】
押圧部３が載置部２に対して立ち上がった状態から倒れた状態になる過程で、押圧部３は、エビ１０の身１２を尻尾１１側から順次押圧して延伸させる。
【００５０】
押圧部３は、本体３１と、この本体３１に着脱自在となっている押圧部材３２とを有する。
【００５１】
押圧部３は、載置部２と同様に、例えば、押圧部材３２が、長期間の使用によって破損する場合や、エビの大きさによって交換した溝２２ａの形状に合わせなければならない場合がある。このような場合でも、押圧部３は押圧部材３２を容易に交換することができる。
【００５２】
本体３１は、図１及び図２に示すように、フック３１ａが形成されている。フック３１ａ及び本体３１のフック３１ａと対向する部分は被案内手段に該当する。
【００５３】
後で詳細に説明するが、案内手段であるガイド棒１０４は、エビ延伸具１が搬送される過程で、フック３１ａ及び本体３１のフック３１ａと対向する部分に囲まれた空間に位置するようになっている。
【００５４】
押圧部材３２は、図２に示すように、窪み３２ａが形成されている。
【００５５】
押圧部３が倒れた状態で、窪み３２ａは、エビ１０の尻尾１１が載置された部分に位置するようになっている。
【００５６】
押圧部３の回動は、載置部２の支持部材２３の長孔２３ａ及び押圧部３の本体３１の突起３１ｂによって案内されている。
【００５７】
次に、上記説明したエビ延伸具１を有するエビ延伸装置１００について説明する。
【００５８】
以下の説明中の搬送方向とは図５の表示での上下方向をいう。図５の表示における上が搬送方向の上流側である。図５の表示における下が搬送方向の下流側である。
【００５９】
以下の説明中の上下方向とは、図５の表示での左右方向をいう。図５の表示における左が、説明中においては上下方向の上側である。図５の表示における右が、説明中においては上下方向の下側である。
【００６０】
以下の説明中の左右方向とは、図５を表示した紙面に対する垂直方向をいう。図５の表示における紙面の裏側から表側に向かう方向が右である。図５の表示における紙面の表側から裏側に向かう方向が左である。以下の説明中の左右方向とは、図３及び図４の表示での左右方向となる。
【００６１】
図５に示すように、エビ延伸装置１００は、搬送方向の上流側及び下流側にそれぞれ設けられたスプロケット１０１，１０２と、これらのスプロケット１０１，１０２に巻き掛けられる無端チェーン１０３と、この無端チェーン１０３に取り付けられる複数のエビ延伸具１と、案内手段であるガイド棒１０４と、無端チェーン１０３の上方に設けられた追加押圧手段１０５とを備える。
【００６２】
無端チェーン１０３はローラーチェーンである。図５に示すように、スプロケット１０１，１０２が回転することによって、無端チェーン１０３は、矢印Ｃに示すように、側面視で角丸長方形の軌道に沿って動く。
【００６３】
各エビ延伸具１は、無端チェーン１０３の上側にある状態で、上流側のスプロケット１０１から下流側のスプロケット１０２に向かって側面視で直線運動する。
【００６４】
次いで、各エビ延伸具１は、無端チェーン１０３の上側にある状態から、側面視で下流側のスプロケット１０２の回転中心周りに回転して、無端チェーン１０３の下側にある状態となる。
【００６５】
次いで、各エビ延伸具１は、無端チェーン１０３の下側にある状態で、下流側のスプロケット１０２から上流側のスプロケット１０１に向かって側面視で直線運動する。
【００６６】
次いで、各エビ延伸具１は、無端チェーン１０３の下側にある状態から、側面視で上流側のスプロケット１０１の回転中心周りに回転して、無端チェーン１０３の上側にある状態となり最初の状態に戻る。
【００６７】
図５に示すように、側面視で、ガイド棒１０４は、無端チェーン１０３の軌道の外側に設けられている。
【００６８】
ガイド棒１０４の始点１０４ａは、無端チェーン１０３の軌道の下方であって、上流側のスプロケット１０１の近くの位置となっている。
【００６９】
ガイド棒１０４は、始点１０４ａから、上流側のスプロケット１０１の周り、上流から下流へ向かう無端チェーン１０３の上方、下流側のスプロケット１０２の周りの順に延びている。
【００７０】
ガイド棒１０４の終点１０４ｂは、無端チェーン１０３の軌道の下方であって、下流側のスプロケット１０２の近くの位置となっている。
【００７１】
延伸具１が始点１０４ａから終点１０４ｂまでの間を通過する間、ガイド棒１０４は、フック３１ａ及び本体３１のフック３１ａと対向する部分に囲まれた空間に位置するようになっている。
【００７２】
ガイド棒１０４がなければ、各エビ延伸具１は、重力によって、意図しないタイミングで押圧部３が倒れたり、垂れ下がったりする可能性がある。
【００７３】
例えば、作業者が手でエビ１０を溝２２ａ内に載置しているときに押圧部３が倒れると、作業者が怪我をする可能性がある。
【００７４】
また、押圧部３が勢いよく立ち上がったり垂れ下がったりすることで、不必要な騒音が発生してしまう可能性がある。
【００７５】
意図しないタイミングで押圧部３が倒れたり、立ち上がったりすることを防止するため、ガイド棒１０４の始点１０４ａと終点１０４ｂを上記の説明の位置としている。
【００７６】
図３、図４及び図５に示すように、ガイド棒１０４は、上流から下流へ向かう無端チェーン１０３の上方において、範囲１０４ｃ、範囲１０４ｄ及び範囲１０４ｅが上流から下流に向かって順番に存在する。
【００７７】
ガイド棒１０４は、範囲１０４ｃにおいて、上流側から下流側へと延びていくことにしたがって、図５に示すように下方向に曲がりながら、図３に示すように左から右へ曲がって、無端チェーン１０３に接近するようになっている。
【００７８】
図６は、上記のガイド棒１０４が無端チェーン１０３に接近する様子を斜視図で示したものである。なお、図６は、エビの表示を省略している。
【００７９】
ガイド棒１０４は、範囲１０４ｄにおいて、無端チェーン１０３に接近した状態を保ったまま上流側から下流側へと延びていく。
【００８０】
ガイド棒１０４は、範囲１０４ｅにおいて、上流側から下流側へと延びていくことにしたがって、図５に示すように上方向に曲がりながら、図４に示すように右から左へ曲がって、無端チェーン１０３から離間するようになっている。
【００８１】
エビ延伸具１は、押圧部３のフック３１ａと本体３１のフック３１ａと対向する部分との間にガイド棒１０４が位置する状態で、ガイド棒１０４の始点１０４ａから終点１０４ｂまで搬送されるようになっている。
【００８２】
追加押圧手段１０５は、図５に示すように、上流から下流に向かって流れる無端チェーン１０３の上方であって、ガイド棒１０４が無端チェーン１０３に接近した状態を保った範囲に設けられている。
【００８３】
追加押圧手段１０５は、矢印Ｄの方向に上下に上昇及び降下可能となっている。追加押圧手段１０５が降下すると、追加押圧手段１０５の下に位置するエビ延伸具１の押圧部３の先端側は、追加押圧手段１０５の下端によって下向きに押されるようになっている。
【００８４】
以下、エビ延伸装置１００がエビを延伸させる動作について説明する。
【００８５】
ガイド棒１０４の始点１０４ａに対応する位置を通過したエビ延伸具１は、載置部２に対して押圧部３が垂れ下がった状態となっている。
【００８６】
エビ延伸具１がガイド棒１０４の始点１０４ａに対応する位置から終点１０４ｂに対応する位置まで搬送される間、押圧部３は、押圧部３のフック３１ａと本体３１のフック３１ａと対向する部分との間にガイド棒１０４が位置する状態となっている。
【００８７】
つまり、エビ延伸具１が、ガイド棒１０４の始点１０４ａに対応する位置から終点１０４ｂに対応する位置まで搬送される間は、押圧部３は、ガイド棒１０４に案内された状態となっている。
【００８８】
エビ延伸具１は、ガイド棒１０４の始点１０４ａに対応する位置から、さらに矢印Ｃ方向に搬送される。エビ延伸具１は、無端チェーン１０３の下側にある状態から、側面視で上流側のスプロケット１０１の回転中心周りに回転して、無端チェーン１０３の上側にある状態となる。
【００８９】
エビ延伸具１が無端チェーン１０３の上側にある状態では、エビ延伸具１は、載置部２に対して押圧部３が立ち上がった状態となっている。
【００９０】
この押圧部３が立ち上がった状態で、エビ延伸具１の溝２２ａにエビを載置する。
【００９１】
エビ延伸具１は、無端チェーン１０３の上側で、さらに矢印Ｃの方向に搬送される。
【００９２】
エビ延伸具１がガイド棒１０４の範囲１０４ｃに対応する範囲で矢印Ｃの方向に搬送されていくことによって、押圧部３は、ガイド棒１０４に案内されて、載置部２に対して立ち上がった状態から倒れた状態になる。
【００９３】
この押圧部３が立ち上がった状態から倒れた状態になる過程において、押圧部３がエビの身を尻尾側から順次押圧して延伸させるようになっている。
【００９４】
さらに、エビ延伸具１は、ガイド棒１０４の範囲１０４ｄに対応する範囲で矢印Ｃの方向に搬送されていく。図１（ｃ）に示すように、エビ延伸具１は、追加押圧手段１０５の下で、押圧部３の先端側が降下する追加押圧手段１０５の下端によって下向きに押される。
【００９５】
この押圧部３が下向きに押されることによって、さらに、押圧部３がエビの身を尻尾側から順次押圧して延伸させるようになっている。
【００９６】
エビ延伸具１がガイド棒１０４の範囲１０４ｅに対応する範囲で矢印Ｃの方向に搬送されていくことによって、押圧部３は、ガイド棒１０４に案内されて、載置部２に対して倒れた状態から立ち上がった状態になる。
【００９７】
エビ延伸具１は、無端チェーン１０３の上側にある状態から、側面視で下流側のスプロケット１０２の回転中心周りに回転して、無端チェーン１０３の下側にある状態となる。エビ延伸具１は、載置部２に対して押圧部３が垂れ下がった状態となっている。
【００９８】
無端チェーン１０３の下側にある状態において、延伸されたエビは、溝２２ａから落下するようになっている。
【００９９】
エビ延伸具１は、矢印Ｃの方向に搬送され、ガイド棒１０４の終点１０４ｂに対応する位置を通過する。
【０１００】
無端チェーン１０３の下側にある状態において、延伸されたエビが溝２２ａから落下した後のエビ延伸具１は、液体等で洗浄することができるようになっている。
【０１０１】
洗浄されたエビ延伸具１は、矢印Ｃの方向に搬送され、ガイド棒１０４の始点１０４ａに対応する位置を再び通過する。
【０１０２】
エビ延伸装置１００は、上記のように、エビ延伸具１がエビを延伸させる動作を繰り返すことができるようになっている。
【０１０３】
上記実施形態は、無端チェーン１０３の下側にある状態において、延伸されたエビが溝２２ａから落下するようになっている場合について説明したが、これに限定されることはない。例えば、側面視で下流側のスプロケットの回転中心周りに回転中に延伸されたエビが溝２２ａから落下するようになっていてもよい。
【０１０４】
上記実施形態は、フック３１ａ及び本体３１のフック３１ａと対向する部分は被案内手段に該当する場合について説明したが、これに限定されることはない。被案内手段は、案内手段に案内可能な形状であればよい。
【０１０５】
上記実施形態は、図３から図６のエビ延伸装置１００は、隣り合うエビ延伸具１が離れているように表示されているが、これに限定されることはない。エビ延伸装置は、隣り合うエビ延伸具同士が隣接するように無端チェーンに設けられていてもよい。
【０１０６】
上記実施形態は、案内手段であるガイド棒１０４である場合について説明したが、これに限定されることはない。案内手段は、別の機構によって、押圧部が載置部に対して立ち上がった状態から倒れた状態へと案内可能であればよい。
【０１０７】
上記実施形態は、ガイド棒１０４が図４に示すような始点と終点を有する場合について説明したが、これに限定されることはない。ガイド棒の始点と終点の位置は任意の位置に変更することができる。
【符号の説明】
【０１０８】
１，１ａ，１ｂ，１ｃ    エビ延伸具
２        載置部
３        押圧部
１０      エビ
１１      尻尾
１２      身
２１      固定プレート
２２      溝部材
２２ａ    溝
２３      支持部材
３１      本体
３１ａ    フック
３１ｂ    突起
３２      押圧部材
１００    エビ延伸装置
１０１    上流側のスプロケット
１０２    下流側のスプロケット
１０３    無端チェーン
１０４    ガイド棒１０４
１０４ａ  始点
１０４ｂ  終点
１０４ｃ  （ガイド棒の）範囲
１０４ｄ  （ガイド棒の）範囲
１０４ｅ  （ガイド棒の）範囲
１０５    追加押圧手段
【図１】
2019149953.tif 000003
【図２】
2019149953.tif 000004
【図３】
2019149953.tif 000005
【図４】
2019149953.tif 000006
【図５】
2019149953.tif 000007
【図６】
2019149953.tif 000008